(57)【特許請求の範囲】
【請求項１】
下流側の底面に排出孔を設ける共に、
該排出孔に短小の筒状から成る排出口を連設したパチンコ玉流路樋に於いて、
前記排出口は、
一側面を開口した略コの字の本体部と、
前記開口した一側面を閉鎖する押圧板と、で前記短小の筒状と成し、
前記本体部の内部をホース収容部とし、該ホース収容部にパチンコ玉が流下する流下ホースが挿入され、
該ホース収容部は、
横方向幅が前記流下ホースの径より大きく、奥行き幅は前記流下ホースの径より小さく形成され、
前記ホース収容部に前記流下ホースを挿入後、
前記押圧板にて前記流下ホースが前記排出口の周壁面に楕円変形状態に挟持される構成とし、
前記本体部には、
前記流下ホースを前記ホース収容部に挿入した際、該流下ホースが前記本体部の開口した一側面側から抜け落ちることがないように、開口側の両端に折曲片を設けたことを特徴とするパチンコ玉流路樋。
【発明の詳細な説明】
【技術分野】
【０００１】
本発明は、複数台のパチンコ遊技機及び遊技媒体貸機を列設した遊技島に設置される玉循環システム等に使用される設備品に係り、下方向にパチンコ玉を導くために使用するパチンコ玉流路樋に関するものである。
【背景技術】
【０００２】
昨今の遊技店の遊技島間には、玉循環システムが導入し、設置されている。例えば、図４に示す玉循環システムは、遊技島内に多量のパチンコ玉を貯留させる玉貯留タンクと、玉貯留タンクの排出口に設けられた玉供給装置と、各パチンコ遊技機から回収樋に排出されたパチンコ玉を磨きながら上方に揚送する玉揚送装置と、上方に揚送されたパチンコ玉を一時貯留させておく上部タンクと、上部タンクから各パチンコ遊技機や各遊技媒体貸出機に対してパチンコ玉を補給する補給樋と、玉貯留タンクに戻すためのオーバーフロー樋とから構成され、前記玉貯留タンク内に導くことにより、島内のパチンコ玉を循環するように成して営業時にあっては補給トラブル（玉不足）等の支障が無いようにしている。
【０００３】
上述した玉循環システムの上部タンクには、パチンコ玉を一時貯留するための貯留部が設けられている。この玉循環システムの構成を示したものが下記の特許文献１では図７又は図８に開示されている。
【特許文献１】特開２００６−２８０５３９号公報
【０００４】
図５に示すように、上部タンク４内の下方位置に設けられたパチンコ玉流路樋２５は、下流側の底面に排出孔が設けられ、該排出孔にパチンコ玉を流下させるパイプ状の排出口２５ｂが連設されている。その排出口２５ｂに流下ホースが圧入され、上部タンク４内のパチンコ玉は流下ホース内を流下していき、玉貯留タンク内に回収される。
【発明の開示】
【発明が解決しようとする課題】
【０００５】
しかしながら、前記パチンコ玉流路樋２５に連設された排出口２５ｂに流下ホースを圧入して取付ける作業は、排出口２５ｂの外径と流下ホースの内径とが略同じ径であり、さらに渦巻き状の鉄芯が埋設された硬質の材質から成る流下ホースを使用するため、取付ける作業が容易に行えず、時間を要していた。
また、パチンコ玉流路樋２５に連設した排出口２５ｂは板金から形成されており、パチンコ玉流路樋２５内を転動してきたパチンコ玉は、排出口２５ｂ付近の板金の角部に勢いよく衝突するため、長期間使用している間にパチンコ玉が零れるほどの破損穴が生じ、就いては排出口２５ｂ自体が破損して落下してしまう等の事故（問題）が生じていた。
さらに、流下ホース内をパチンコ玉が流下していく過程において生じる静電気を除去するため、その対策として、例えば、流下ホースを排出口２５ｂに圧入した位置の取付け金具に別途アース線を取付け、パチンコ玉流路樋２５の排出口２５ｂに接続させて静電気の除去を行っていたが、別途アース線の取付け及び接続作業等は高い場所（約２メートル）での作業から大変危険な作業となっていた。
【０００６】
以上の点に鑑みなされたもので、遊技島に設置した玉循環システムで生じていた課題である、流下ホースを取付る作業や、パチンコ玉流路樋の排出口自体の落下事故や、流下ホース内で生じる静電気の課題を解決することを目的としたパチンコ玉流路樋を提供する。
【課題を解決するための手段】
【０００７】
上記課題を解決するために、本発明の請求項１記載は、下流側の底面に排出孔を設ける共に、該排出孔に短小の筒状から成る排出口を連設したパチンコ玉流路樋に於いて、排出口は、一側面を開口した略コの字の本体部と、開口した一側面を閉鎖する押圧板と、で短小の筒状と成し、本体部の内部をホース収容部とし、該ホース収容部にパチンコ玉が流下する流下ホースが挿入され、該ホース収容部は、横方向幅が流下ホースの径より大きく、奥行き幅は流下ホースの径より小さく形成され、ホース収容部に流下ホースを挿入後、押圧板にて流下ホースが排出口の周壁面に楕円変形状態に挟持される構成とし、本体部には、流下ホースをホース収容部に挿入した際、該流下ホースが本体部の開口した一側面側から抜け落ちることがないように、開口側の両端に折曲片を設けた構成としたことによって達成される。
【発明の効果】
【００１０】
本発明の請求項１記載の構成によれば、排出口の本体部内に流下ホースを挿入後、押圧板を締付け具にて流下ホースを排出口の周壁面に楕円変形状態になるよう挟持して取付けるものであるから、極めて取付け作業が容易となり、短時間で行うことができる。
【発明を実施するための最良の形態】
【００１３】
以下、各図面に基づいて実施形態を詳細に説明していく。
【実施例１】
【００１４】
先ず、本発明のパチンコ玉流路樋が使用される玉循環システムの構成について説明する。ここでの玉循環システムは、背景技術で説明した構成と同じである。玉循環システム１０は、遊技島１内に多量のパチンコ玉を貯留させる玉貯留タンク２と、玉貯留タンク２の排出口に設けられた玉供給装置１２と、各パチンコ遊技機から回収樋８に排出されたパチンコ玉を磨きながら上方に揚送する玉揚送装置３と、上方に揚送されたパチンコ玉を一時貯留させておく上部タンク４と、上部タンク４から各パチンコ遊技機や各遊技媒体貸出機に対してパチンコ玉を補給する補給樋９と、玉貯留タンク２に戻すためのオーバーフロー樋１１とから構成されている。このような玉循環システム１０を稼動させることによって各遊技島１内の貯留量のバランスを保ちながらパチンコ玉を循環するようにしている。尚、オーバーフロー樋１１から流下したパチンコ玉は島端のオーバーフロー流下ホース１１ａを介して回収樋８に導かれる。
【００１５】
また、上述した上部タンク４の内部には、パチンコ玉を一時貯留するための貯留部５と、他の島とパチンコ玉の供給及び受給を行うための供給受給部６が設けられている。この供給受給部６に貯留されたパチンコ玉は、上部タンク４の外壁に取付けられた供給樋及び受給樋（不図示）にて遊技島内部に設けられた玉貯留タンク２の貯留量のバランスを保っている。供給受給部６は、略中央付近の板状から成る仕切壁７によって仕切られている。該仕切壁７には、余剰したパチンコ玉を供給受給部６へ送出するよう開口したオーバーフロー窓口７ａが設けられ、供給受給部６に送り込まれたパチンコ玉はオーバーフロー流路口６ａからパチンコ玉流路樋１５に導かれる。
【００１６】
次に、本発明の要旨であるパチンコ玉流路樋１５の構成について説明する。
このパチンコ玉流路樋１５を上述した玉循環システム１０に使用した実施形態にて説明する。
上部タンク４の貯留部５内でオーバーフロー（余剰）したパチンコ玉は仕切壁７に開口されたオーバーフロー窓口７ａから供給受給部６へ送出され、供給受給部６に送り込まれたパチンコ玉はオーバーフロー流路口６ａからパチンコ玉流路樋１５を介して玉貯留タンク２内へと回収されていく。
【００１７】
図１に示すように、パチンコ玉流路樋１５は、上面が開口した樋状から成し、下流側の底面に排出孔１５ａが設けられ、該排出孔１５ａに短小の筒状から成る排出口１５ｂが連設されている。該排出口１５ｂは、一側面を開口した略コの字の本体部１５ｃと、前記開口した一側面を閉鎖する押圧板１６とで、前記短小の筒状と成している。前記排出孔１５ａは、流下ホース１７の内径より大きく、外径より小さい大きさの円形状に形成されている。
前記本体部１５ｃの内部（スペース）をホース収容部１５ｄと成し、該ホース収容部１５ｄ内に流下ホース１７を挿入後、押圧板１６にて楕円変形状態に挟持される。
【００１８】
前記本体部１５ｃの内部（スペース）のホース収容部１５ｄは、横方向幅が流下ホース１７の径より、大きく、逆に奥行き幅は径小に形成されている。即ち、ホース収容部１５ｄは、流下ホース１７が円形状から楕円状態に変形（潰れる）するに足りる大きさと成している。また、本体部１５ｃには、一側面を開口側の両端に折曲片１５ｅが設けられている。両端に設けられた折曲片１５ｅにより流下ホース１７を挿入した際、前方に抜け落ちることがない。尚、前記折曲片１５ｅには押圧板１６を装着するための装着穴１５ｆが設けられている。
【００１９】
押圧板１６は、略コの字の本体部１５ｃに開口した一側面を閉鎖する幅の形状（例えば、略長方形）に形成され、両端に締付け具１６ａ（例えば、ネジ等）が設けられている。また、押圧板１６の上下端には補強片１６ｂが設けられている。この補強片１６ｂは、押圧板１６の締付け具１６ａを締め付けても押圧板１６が折り曲がらないように補強するために設けられている。
【００２０】
流下ホース１７は、全長に渡って渦巻き状の鉄芯１７ｂが埋設されている。よって、埋設された鉄芯１７ｂを金属製のパチンコ玉流路樋１５等にアース接触させることができる。ここでの流下ホース１７は、例えば塩化ビニール系、ウレタン樹脂系から成る硬質系ホースの材質のものを使用している。
【００２１】
流下ホース１７の取付け作業について説明する。
パチンコ玉流路樋１５の下流側の排出孔１５ａに連設された排出口１５ｂ内に、流下ホース１７の端縁が排出孔１５ａに当接する位置まで挿入する。その後、図２に示すように押圧板１６を締め付け具１６ａにて本体部１５ｃに取付ける。この時、前記折曲片１５ｅの間より幾分突出した流下ホース１７が楕円形に変形（潰され）され、結果、排出口１５ｂの周壁面の４方向（４面）に接触し、楕円変形状態にて挟持（例えば、接触／Ｓ１からＳ４）されることになる。従って、流下ホース１７の取付け作業が容易となり、短時間のうちに挟持することができる。
上述での説明においては、排出口１５ｂ内に流下ホース１７を挿入し、端縁が排出孔１５ａに当接する説明としたが、若干の隙間（パチンコ玉径以内）を明けて挟持するようにしても良い。
【００２２】
尚、流下ホース１７に埋設した鉄芯１７ｂを金属製のパチンコ玉流路樋１５にアース接触させて静電気を除去する説明としたが、パチンコ玉流路樋１５以外の他の金属製からなる排出口１５ｂや本体部１５ｃや押圧板１６等の何れかにアース接触させることにより静電気が外部に伝わって除去することもできる。同様にパチンコ玉が流下する際、流下ホース１７内にて発生していた静電気が確実に除去される。
【００２３】
尚、上部タンク４内の下方位置に設けられたパチンコ玉流路樋１５の排出口１５ｂの本体部１５ｃ内に流下ホース１７を挿入し、押圧板１６にて挟持する説明としたが、他の場所にて採用しても良い。
例えば、遊技島１の上部タンク４から溢れたパチンコ玉を玉貯留タンク２に戻すため樋状に形成されたオーバーフロー樋１１に連設して形成した短小の筒状のから成る排出口内の本体部内にオーバーフロー流下ホース１１ａを挿入し、押圧板にて挟持するようにしても同様の効果が生じる。
【図面の簡単な説明】
【００２４】
【図１】パチンコ玉流路樋の本体部内に流下ホースを挿入した斜視図である。
【図２】排出口内の流下ホースの楕円変形状態を示す平面図である。
【図３】パチンコ玉流路樋の排出口と流下ホースとの接続を示す断面図である。
【図４】遊技島に設置された玉循環システムを示す正面図である。
【図５】玉循環システムの上部タンクの内部を示す斜視図である。
【符号の説明】
【００２５】
１０    玉循環システム
１５    パチンコ玉流路樋
１５ａ  
排出孔
１５ｂ  排出口
１５ｃ  本体部
１５ｄ  ホース収容部
１５ｅ  折曲片
１６    押圧板
１７    流下ホース
１７ａ  鉄芯
Ｓ      接触（Ｓ１〜Ｓ４）
【図１】
0005164513.tif 000002
【図２】
0005164513.tif 000003
【図３】
0005164513.tif 000004
【図４】
0005164513.tif 000005
【図５】
0005164513.tif 000006